(57)【要約】【課題】切刃の先端部における刃先強度は確保してチッピングや欠損を防ぎつつ、切刃の外周部には鋭い切れ味を与えて、仕上げ面粗さや仕上げ面精度の向上と切削抵抗の低減を図る。【解決手段】軸線回りに回転されるエンドミル本体の先端部外周に、軸線回りの回転軌跡が軸線上に中心を有し、この中心において軸線に直交する平面を越えてエンドミル本体の後端側に向けて延びる球状をなす切刃が形成され、切刃の回転軌跡の軸線に沿った断面において、切刃上の１点と中心とを結ぶ直線が中心からエンドミル本体の先端側に延びる軸線に対してなす挟角θが４０°〜６０°の第１の角度範囲Ａ内で切刃の径方向すくい角αは最小となり、挟角θが８０°〜１００°の第２の角度範囲Ｂ内では、切刃の径方向すくい角αが最大となる。【選択図】図９
2020082205.tif 000002
【特許請求の範囲】
【請求項１】
軸線回りに回転されるエンドミル本体の先端部外周に、上記エンドミル本体の先端から後端側に向けて延びる切屑排出溝が形成され、この切屑排出溝のエンドミル回転方向を向いてすくい面とされる壁面と上記すくい面に交差する逃げ面との交差稜線部に、上記軸線回りの回転軌跡が上記軸線上に中心を有する球状をなす切刃が形成されたボールエンドミルであって、
上記切刃は、上記エンドミル本体の先端側から、上記中心において上記軸線に直交する平面を越えて上記エンドミル本体の後端側に向けて延びており、
上記切刃の上記軸線回りの回転軌跡の上記軸線に沿った断面において、上記切刃上の１点と上記中心とを結ぶ直線が上記中心から上記エンドミル本体の先端側に延びる上記軸線に対してなす挟角が４０°〜６０°の第１の角度範囲内で、上記１点を通り上記軸線に直交する断面における上記切刃の径方向すくい角は最小となり、
上記切刃の上記軸線回りの回転軌跡の上記軸線に沿った断面において、上記切刃上の１点と上記中心とを結ぶ直線が上記中心から上記エンドミル本体の先端側に延びる上記軸線に対してなす挟角が８０°〜１００°の第２の角度範囲内では、上記１点を通り上記軸線に直交する断面における上記切刃の径方向すくい角が最大となることを特徴とするボールエンドミル。
【請求項２】
上記第１の角度範囲における上記切刃の最小の径方向すくい角は−１５°以上であることを特徴とする請求項１に記載のボールエンドミル。
【請求項３】
上記第２の角度範囲における上記切刃の最小の径方向すくい角は−１０°以上であることを特徴とする請求項１に記載のボールエンドミル。
【請求項４】
上記第１の角度範囲における上記切刃の最大の径方向すくい角は＋１５°以下であることを特徴とする請求項１から請求項３のうちいずれか一項に記載のボールエンドミル。
【請求項５】
上記第２の角度範囲における上記切刃の最大の径方向すくい角は＋１０°以下であることを特徴とする請求項１から請求項３のうちいずれか一項に記載のボールエンドミル。
【請求項６】
上記第１の角度範囲における上記切刃の径方向すくい角は、上記エンドミル本体の先端側から後端側に向かうに従い漸次小さくなって上記最小の径方向すくい角となり、次いで漸次大きくなることを特徴とする請求項１から請求項５のうちいずれか一項に記載のボールエンドミル。
【請求項７】
上記第２の角度範囲における上記切刃の径方向すくい角は、上記エンドミル本体の先端側から後端側に向かうに従い漸次大きくなって上記最大の径方向すくい角となり、次いで漸次小さくなることを特徴とする請求項１から請求項６のうちいずれか一項に記載のボールエンドミル。
【発明の詳細な説明】
【技術分野】
【０００１】
本発明は、軸線回りに回転されるエンドミル本体の先端部外周に、上記軸線回りの回転軌跡が該軸線上に中心を有する球状をなす切刃が形成され、この切刃が、エンドミル本体の先端側から、上記中心において上記軸線に直交する平面を越えて後端側に向けて延びているボールエンドミルに関するものである。
【背景技術】
【０００２】
金型等のアンダーカット部の裏面取り加工や５軸加工等の工作機械の主軸を傾斜させる軸傾斜切削に用いられるボールエンドミルとして、特許文献１には、軸線回りに回転されるエンドミル本体の先端部に、該軸線回りの回転軌跡が球面状をなす切刃が、上記軸線方向先端側から後端側に向けて、上記球面の中心を通り該軸線に垂直な平面を越えるように延設されており、上記切刃は、上記平面よりも上記軸線方向先端側では後端側に向かうに従いエンドミル回転方向の後方側に捩れるように形成される一方、該平面を越えた上記軸線方向後端側では、上記軸線に対する捩れ角が後端側に向かうに従い漸次小さくなるようにされたものが記載されている。
【先行技術文献】
【特許文献】
【０００３】
【特許文献１】特開２０１０−０３００２３号公報
【発明の概要】
【発明が解決しようとする課題】
【０００４】
ところで、このように軸線回りの回転軌跡が軸線上に中心を有する球状をなす切刃がエンドミル本体の先端側から上記中心において上記軸線に直交する平面を越えて後端側に向けて延びているボールエンドミルでは、回転軌跡が球状をなす切刃の外周部は軸線からの半径が大きいので周速が高く、切れ味が鋭くなるために専ら仕上げ加工に使用されることが多い。また、この外周部よりもエンドミル本体の先端側の切刃の先端部は専ら荒加工に使用されることが多い。
【０００５】
しかしながら、そのようなボールエンドミルにおいて、切刃の先端部における刃先強度が乏しいと、荒加工の際に切屑の厚さが厚くなることにより作用する大きな切削抵抗や切削負荷によって切刃にチッピングや欠損が生じてしまい、工具寿命が短縮されてしまうおそれがある。一方、切刃の外周部では、切刃の切れ味が鈍いと、周速が速くても仕上げ加工において良好な仕上げ面粗さや仕上げ面精度を得ることができなくなるとともに、切削抵抗の増大を招いてしまうおそれがある。
【０００６】
本発明は、このような背景の下になされたもので、切刃がエンドミル本体の先端側から切刃の回転軌跡がなす球の中心において軸線に直交する平面を越えて後端側に向けて延びているボールエンドミルにおいて、切刃の先端部における刃先強度は確保してチッピングや欠損を防ぎつつ、切刃の外周部には鋭い切れ味を与えることができて、仕上げ面粗さや仕上げ面精度の向上と切削抵抗の低減を図ることが可能なボールエンドミルを提供することを目的としている。
【課題を解決するための手段】
【０００７】
上記課題を解決して、このような目的を達成するために、本発明は、軸線回りに回転されるエンドミル本体の先端部外周に、上記エンドミル本体の先端から後端側に向けて延びる切屑排出溝が形成され、この切屑排出溝のエンドミル回転方向を向いてすくい面とされる壁面と上記すくい面に交差する逃げ面との交差稜線部に、上記軸線回りの回転軌跡が上記軸線上に中心を有する球状をなす切刃が形成されたボールエンドミルであって、上記切刃は、上記エンドミル本体の先端側から、上記中心において上記軸線に直交する平面を越えて上記エンドミル本体の後端側に向けて延びており、上記切刃の上記軸線回りの回転軌跡の上記軸線に沿った断面において、上記切刃上の１点と上記中心とを結ぶ直線が上記中心から上記エンドミル本体の先端側に延びる上記軸線に対してなす挟角が４０°〜６０°の第１の角度範囲内で、上記１点を通り上記軸線に直交する断面における上記切刃の径方向すくい角は最小となり、上記切刃の上記軸線回りの回転軌跡の上記軸線に沿った断面において、上記切刃上の１点と上記中心とを結ぶ直線が上記中心から上記エンドミル本体の先端側に延びる上記軸線に対してなす挟角が８０°〜１００°の第２の角度範囲内では、上記１点を通り上記軸線に直交する断面における上記切刃の径方向すくい角が最大となることを特徴とする。
【０００８】
このように構成されたボールエンドミルでは、球状をなす上記回転軌跡の上記軸線に沿った断面において、上記切刃上の１点と上記中心とを結ぶ直線が上記中心から上記エンドミル本体の先端側に延びる上記軸線に対してなす挟角が４０°〜６０°の第１の角度範囲内、すなわち切刃の先端部で、上記１点を通り上記軸線に直交する断面における切刃の径方向すくい角は最小となるので、切刃の刃物角を大きくすることができる。このため、切刃の刃先強度を確保して、荒加工の際の大きな切削負荷に対してもチッピングや欠損が生じるのを防ぐことができる。
【０００９】
その一方で、上記挟角が８０°〜１００°の第２の角度範囲内、すなわち切刃の外周部では、切刃の径方向すくい角が最大となり、切れ味を鋭くすることができる。このため、切刃の外周部を仕上げ加工に用いる場合において、軸線からの半径が大きいために周速が速いこととも相俟って良好な仕上げ面粗さや仕上げ面精度を得ることができるとともに、切削抵抗の低減を図ることができる。
【００１０】
ここで、切刃の径方向すくい角が最小となる位置が、上記挟角が４０°〜６０°の第１の角度範囲よりもエンドミル本体の先端側に位置していると、軸線近傍の切刃の先端部における径方向すくい角が小さくなりすぎてしまう。上記挟角が４０°未満の角度範囲の軸線近傍の最先端部は周速が遅いため、径方向すくい角が小さすぎると切刃が被削材を擦り付けるような切削形態となり、切刃の摩耗が著しくなる。さらに、この軸線近傍の最先端部において切刃により生成される切屑は厚さが薄いため切刃に作用する切削負荷は小さいので、上記挟角が４０°未満の角度範囲の切刃の径方向すくい角は最小の径方向すくい角より大きくてもよい。
【００１１】
また、切刃の径方向すくい角が最小となる位置が、上記挟角が４０°〜６０°の第１の角度範囲よりもエンドミル本体の後端側に位置していたり、切刃の径方向すくい角が最大となる位置が、上記挟角が８０°〜１００°の第２の角度範囲よりもエンドミル本体の先端側に位置していたりすると、切刃の先端部と外周部との間で径方向すくい角を急激に変化させなければならなくなって、すくい面に歪みが生じて切削抵抗の増大を招くおそれがある。
【００１２】
さらに、切刃の径方向すくい角が最大となる位置が、上記挟角が８０°〜１００°の第２の角度範囲よりもエンドミル本体の後端側に位置していると、周速が速いために仕上げ加工の際に専ら使用される切刃の外周部に最も鋭い切れ味を与えることができず、非効率的である。
【００１３】
なお、上記第１の角度範囲における上記切刃の最小の径方向すくい角は−１５°以上であることが望ましい。この第１の角度範囲における上記切刃の最小の径方向すくい角が−１５°を下回るほど小さいと、切刃の先端部を荒加工に用いた際に作用する切削抵抗による切削負荷が大きくなりすぎて、刃物角を大きくすることができてもチッピングや欠損が生じるおそれがある。このような先端部における荒加工の際の切刃のチッピングや欠損を一層確実に防ぐには、この第１の角度範囲における切刃の最小の径方向すくい角は、−１０°以上であることがより望ましい。
【００１４】
一方、上記第２の角度範囲における上記切刃の最大の径方向すくい角は＋１５°以下であることが望ましい。この第２の角度範囲における切刃の最大の径方向すくい角が１５°を上回ると、切刃の外周部における刃物角が小さくなりすぎて刃先強度が損なわれ、切屑の厚さが薄い仕上げ加工に用いた場合においても切刃にチッピングや欠損が生じるおそれがある。このような外周部における仕上げ加工の際の切刃のチッピングや欠損を一層確実に防ぐには、この第２の角度範囲における上記切刃の最大の径方向すくい角は＋１０°以下であることがより望ましい。
【００１５】
また、上述のように上記挟角が４０°未満の角度範囲の切刃の最先端部では、切刃により生成される切屑は厚さが薄いため切刃に作用する切削負荷は小さいので、上記第１の角度範囲における上記切刃の径方向すくい角は、上記エンドミル本体の先端側から後端側に向かうに従い漸次小さくなって上記最小の径方向すくい角となり、次いで漸次大きくなっていればよい。
【００１６】
さらに、最も周速が速い上記挟角が９０°付近となる切刃の最外周部近傍において最も鋭い切れ味を確保するには、上記第２の角度範囲における上記切刃の径方向すくい角も、上記エンドミル本体の先端側から後端側に向かうに従い漸次大きくなって上記最大の径方向すくい角となり、次いで漸次小さくなっているのが望ましい。
【発明の効果】
【００１７】
以上説明したように、本発明によれば、切刃がエンドミル本体の先端側から切刃の回転軌跡がなす球の中心において軸線に直交する平面を越えて後端側に向けて延びているボールエンドミルにおいて、上記第１の角度範囲の切刃の先端部においては刃先強度を確保してチッピングや欠損を防ぐことができるとともに、上記第２の角度範囲の切刃の外周部においては鋭い切れ味を切刃に与えることができ、仕上げ面粗さ、仕上げ面精度の向上や切削抵抗の低減を図ることが可能となる。
【図面の簡単な説明】
【００１８】
【図１】本発明の一実施形態を示すエンドミル本体の先端部の斜視図である。
【図２】図１に示す実施形態の正面図である。
【図３】図１に示す実施形態の側面図である。
【図４】図３におけるＶＶ断面図（切刃上の１点と切刃の中心とを結ぶ直線が切刃の中心からエンドミル本体の先端側に延びる軸線に対してなす挟角が３０°の位置における上記切刃上の１点を通りエンドミル本体の軸線に直交する断面図）である（ただし、長切刃が上下に位置するように示されている。）。
【図５】図３におけるＷＷ断面図（切刃上の１点と切刃の中心とを結ぶ直線が切刃の中心からエンドミル本体の先端側に延びる軸線に対してなす挟角が第１の角度範囲内である５０°の位置における上記切刃上の１点を通りエンドミル本体の軸線に直交する断面図）である（ただし、長切刃が上下に位置するように示されている。）。
【図６】図３におけるＸＸ断面図（切刃上の１点と切刃の中心とを結ぶ直線が中心からエンドミル本体の先端側に延びる軸線に対してなす挟角が７０°の位置における上記切刃上の１点を通りエンドミル本体の軸線に直交する断面図）である（ただし、長切刃が上下に位置するように示されている。）。
【図７】図３におけるＹＹ断面図（切刃上の１点と切刃の中心とを結ぶ直線が切刃の中心からエンドミル本体の先端側に延びる軸線に対してなす挟角が第２の角度範囲内である９０°の位置における上記切刃上の１点を通りエンドミル本体の軸線に直交する断面図）である（ただし、長切刃が上下に位置するように示されている。また、クーラント孔は図示が略されている。）。
【図８】図３におけるＺＺ断面図（切刃上の１点と切刃の中心とを結ぶ直線が切刃の中心からエンドミル本体の先端側に延びる軸線に対してなす挟角が１１０°の位置における上記切刃上の１点を通りエンドミル本体の軸線に直交する断面図）である（ただし、長切刃が上下に位置するように示されている。また、クーラント孔は図示が略されている。）。
【図９】図１に示す実施形態における切刃の軸線回りの回転軌跡の軸線に沿った断面において、切刃上の１点と切刃の中心とを結ぶ直線が切刃の中心からエンドミル本体の先端側に延びる軸線に対してなす挟角と、この切刃上の１点を通り軸線に直交する断面における径方向すくい角との関係を示す図である。
【発明を実施するための形態】
【００１９】
図１ないし図９は、本発明の一実施形態を示すものである。本実施形態において、エンドミル本体１は、超硬合金等の硬質材料によって軸線Ｏを中心とした概略円柱状に一体に形成されている。このエンドミル本体１の後端部（図１において右上側の部分。図３においては右側部分）の部分は円柱状のままのシャンク部２とされるとともに、エンドミル本体１の先端部（図１において左下側の部分。図３においては左側部分）は切刃部３とされている。
【００２０】
このようなボールエンドミルは、シャンク部２が工作機械の主軸に把持されて軸線Ｏ回りにエンドミル回転方向Ｔに回転されつつ、切刃部３によって被削材に切削加工を施し、金型等のアンダーカット部の裏面取り加工や５軸加工等の工作機械の主軸を傾斜させる軸傾斜切削に用いられる。
【００２１】
切刃部３には、エンドミル本体１の先端から後端側に向かうに従いエンドミル回転方向Ｔとは反対側に捩れる複数条（本実施形態では４条）の切屑排出溝４が周方向に間隔をあけて形成されている。そして、これらの切屑排出溝４のエンドミル回転方向Ｔを向いてすくい面５とされる壁面と、周方向に隣接する切屑排出溝４の間を切刃部３の先端内周部から後端外周部に延びてこのすくい面５に交差する逃げ面６との交差稜線部には、切刃７がそれぞれ形成されている。
【００２２】
これらの切刃７は、互いの軸線Ｏ回りの回転軌跡が重なり合うとともに、この軸線Ｏ回りの回転軌跡が軸線Ｏ上に中心Ｃを有する球状に形成されている。さらに、これらの切刃７が軸線Ｏ回りになす回転軌跡は、切刃部３の先端から後端側に向けて上記中心Ｃを通り軸線Ｏに直行する平面Ｐを越える範囲にまで形成されている。
【００２３】
すなわち、通常の底刃の回転軌跡が半球状となるボールエンドミルでは、切刃の軸線回りの回転軌跡の軸線に沿った断面においては、この回転軌跡が半球状の底刃の後端とその中心とを結ぶ直線が上記中心からエンドミル本体の先端側に延びる軸線に対してなす挟角は９０°である。これに対して、本実施形態では、切刃７の後端と上記中心Ｃとを結ぶ直線が中心Ｃからエンドミル本体１の先端側に延びる軸線Ｏに対してなす挟角θが例えば１２０°とされている。従って、切刃部３の後端に連なる上記シャンク部２の先端部の外径は、切刃７の最大外径である上記中心Ｃに垂直な平面Ｐの位置における外径よりも小さくされている。
【００２４】
また、４つの切刃７のうち、軸線Ｏを間にして反対側に位置する２つの切刃７は、切刃部３先端の軸線Ｏ近傍から延びる長切刃７ａとされている。これに対して、残りの２つの切刃７は、その逃げ面６の切刃部３における先端側部分（軸線Ｏの周辺部分）が切り欠かれることにより、軸線Ｏから外周側に間隔をあけた位置から後端側に延びる短切刃７ｂとされている。なお、エンドミル本体１の切刃部３は、軸線Ｏに関して１８０°回転対称形状とされている。
【００２５】
さらに、切屑排出溝４には、切刃部３の先端側の部分に、上記すくい面５から切屑排出溝４のエンドミル回転方向Ｔとは反対側を向く壁面を切り欠くようにして、凹溝状のギャッシュ４ａが形成されている。従って、切刃部３の先端側、例えば上記挟角θが９０°以下の範囲では、切刃７は、このギャッシュ４ａのエンドミル回転方向Ｔを向く壁面と上記逃げ面６との交差稜線部に形成される。
【００２６】
さらに、本実施形態では、切屑排出溝４が上述のようにエンドミル本体１の先端から後端側に向かうに従いエンドミル回転方向Ｔとは反対側に捩れていて、すくい面５も切刃部３の先端内周部から後端外周部に向かうに従いエンドミル回転方向Ｔとは反対側に延びていることから、切刃７もエンドミル本体１の先端から後端側に向かうに従いエンドミル回転方向Ｔとは反対側に捩れている。これにより、切刃７には正角のすくい角が与えられている。
【００２７】
そして、この切刃７の１点を通り軸線Ｏに直交する断面における径方向すくい角αは、切刃７の軸線Ｏ回りの回転軌跡の軸線Ｏに沿った断面において、切刃７上の１点と上記中心Ｃとを結ぶ直線が上記中心Ｃからエンドミル本体１の先端側に延びる軸線Ｏに対してなす挟角θが４０°〜６０°の第１の角度範囲Ａ内で最小となる。本実施形態では、後述する図９に示すように上記挟角θが略５５°の切刃７の１点において最小の径方向すくい角αが約−８．８８°の負角となる。
【００２８】
一方、この切刃７の１点を通り軸線Ｏに直交する断面における径方向すくい角αは、同じく切刃７の軸線Ｏ回りの回転軌跡の軸線Ｏに沿った断面において、切刃７上の１点と上記中心Ｃとを結ぶ直線が上記中心Ｃからエンドミル本体１の先端側に延びる軸線Ｏに対してなす挟角θが８０°〜１００°の第２の角度範囲Ｂ内で図７に示すように最大となる。本実施形態では、次述する図９に示すように上記挟角θが略９０°の切刃７の１点において図７に示した最大の径方向すくい角αが約＋９．８０°の正角となる。
【００２９】
ここで、図９は、本実施形態における切刃部３の切刃７の軸線Ｏ回りの回転軌跡の軸線Ｏに沿った断面において、切刃７上の１点と切刃７の中心Ｃとを結ぶ直線が切刃７の中心Ｃからエンドミル本体１の先端側に延びる軸線Ｏに対してなす挟角θと、この切刃７上の１点を通り軸線Ｏに直交する断面における径方向すくい角α（°）との関係を示す図である。
【００３０】
この図９から分かるように、切刃７の径方向すくい角αは、上記第１の角度範囲Ａにおいては、エンドミル本体１の先端側から後端側に向かうに従い漸次小さくなって上記最小の径方向すくい角αとなり、次いで漸次大きくなっている。また、上記第２の角度範囲における切刃７の径方向すくい角θは、第１の角度範囲Ａから引き続きエンドミル本体１の後端側に向かうに従い漸次大きくなって上記最大の径方向すくい角αとなり、次いで漸次小さくなっている。
【００３１】
なお、エンドミル本体１には、シャンク部２の後端面から軸線Ｏに沿ってクーラント孔８が先端側に向けて延びるように形成されている。そして、このクーラント孔８は、切刃部３の上記中心Ｃにおいて切屑排出溝４と同数（本実施形態では４つ）に分岐して中心Ｃから放射状に延び、上記第１の角度範囲Ａと第２の角度範囲Ｂとの間の切刃７上の１点と上記中心Ｃとを結ぶ直線が中心Ｃからエンドミル本体１の先端側に延びる軸線Ｏに対してなす挟角θが６０°〜８０°の角度範囲において、切屑排出溝４のエンドミル回転方向Ｔとは反対側を向く壁面のすくい面５側に開口している。ここで、クーラント孔８は断面円形である。
【００３２】
このように構成されたボールエンドミルでは、球状をなす切刃７の回転軌跡の軸線Ｏに沿った断面において、切刃７上の１点と上記中心Ｃとを結ぶ直線が中心Ｃからエンドミル本体１の先端側に延びる軸線Ｏに対してなす挟角θが４０°〜６０°の第１の角度範囲Ａ内で、上記１点を通り軸線Ｏに直交する断面における切刃７の径方向すくい角αが最小となる。このため、この第１の角度範囲Ａでは、切刃７の刃物角を大きくして刃先強度を確保することができる。
【００３３】
そして、この第１の角度範囲Ａ内は、専ら荒加工に使用される切刃７の先端部であるので、この荒加工の際に厚さの厚い切屑が生成されることにより作用する大きな切削負荷に対して、切刃７にチッピングや欠損が生じるのを防いで、工具寿命を延長することが可能となる。
【００３４】
一方、上記挟角θが８０°〜１００°の第２の角度範囲Ｂは、専ら仕上げ加工に使用される切刃７の外周部であり、上記構成のボールエンドミルでは、この第２の角度範囲Ｂにおいて切刃７の径方向すくい角αが最大となる。このため、仕上げ加工においては、切れ味を鋭くすることができ、軸線Ｏからの半径が大きいために周速が速いこととも相俟って良好な仕上げ面粗さや仕上げ面精度を得ることができるとともに、切削抵抗の低減を図ることが可能となる。
【００３５】
ここで、切刃７の径方向すくい角αが最小となる位置が、上記挟角θが４０°〜６０°の第１の角度範囲Ａよりもエンドミル本体１の先端側に位置していると、軸線Ｏからの距離が短いために周速が遅くて切刃が被削材を擦り付けるような切削形態となる軸線Ｏ近傍の切刃７の先端部における径方向すくい角αが小さくなりすぎてしまい、切刃７の摩耗が著しくなって工具寿命が短縮することになる。一方、この軸線Ｏ近傍の最先端部において切刃７により生成される切屑は厚さが薄くて切刃７に作用する切削負荷は小さいので、上記挟角θが４０°未満の角度範囲の切刃７の径方向すくい角αは最小の径方向すくい角より大きくてもよい。
【００３６】
また、切刃７の径方向すくい角αが最小となる位置が、上記挟角θが４０°〜６０°の第１の角度範囲Ａよりもエンドミル本体１の後端側に位置していたり、切刃７の径方向すくい角αが最大となる位置が、上記挟角θが８０°〜１００°の第２の角度範囲Ｂよりもエンドミル本体１の先端側に位置していたりすると、切刃７の先端部と外周部との間で径方向すくい角αを急激に変化させなければならず、すくい面５に歪みが生じて切削抵抗の増大を招くおそれがある。
【００３７】
さらに、切刃７の径方向すくい角αが最大となる位置が、上記挟角θが８０°〜１００°の第２の角度範囲Ｂよりもエンドミル本体１の後端側に位置していると、周速が速いために仕上げ加工の際に専ら使用される切刃７の外周部に最も鋭い切れ味を与えることができなくなって、非効率的となる。
【００３８】
なお、上記第１の角度範囲Ａにおける切刃７の最小の径方向すくい角αは−１５°以上であることが望ましい。この第１の角度範囲Ａにおける切刃７の最小の径方向すくい角αが−１５°を下回るほど小さいと、切刃７の先端部を荒加工に用いた際に作用する切削抵抗による切削負荷が大きくなりすぎて、刃物角を大きくすることができてもチッピングや欠損が生じるおそれがある。ここで、このような切刃７の先端部におけるチッピングや欠損を一層確実に防ぐには、この第１の角度範囲Ａにおける切刃７の最小の径方向すくい角αは、−１０°以上であることがより望ましい。
【００３９】
一方、上記第２の角度範囲Ｂにおける切刃７の最大の径方向すくい角αは＋１５°以下であることが望ましい。この第２の角度範囲Ｂにおける切刃７の最大の径方向すくい角αが１５°を上回ると、切刃７の外周部における刃物角が小さくなりすぎて刃先強度が損なわれ、切屑の厚さが薄い仕上げ加工に用いた場合においても切刃７にチッピングや欠損が生じるおそれがある。ここで、このような外周部における切刃７のチッピングや欠損を一層確実に防ぐには、この第２の角度範囲Ｂにおける切刃７の最大の径方向すくい角αは＋１０°以下であることがより望ましい。
【００４０】
また、上述のように第１の角度範囲Ａよりも先端側の上記挟角θが４０°未満の角度範囲の切刃７の最先端部では、切刃７によって生成される切屑は厚さが薄いため切刃７に作用する切削負荷は小さい。このため、上記第１の角度範囲Ａにおける切刃７の径方向すくい角αは、エンドミル本体１の先端側から後端側に向かうに従い漸次小さくなって上記最小の径方向すくい角αとなり、次いで漸次大きくなっていればよい。
【００４１】
さらに、最も周速が速い上記挟角が９０°付近となる切刃７の最外周部近傍において最も鋭い切れ味を確保するには、上記第２の角度範囲Ｂにおける切刃７の径方向すくい角αも、エンドミル本体１の先端側から後端側に向かうに従い漸次大きくなって上記最大の径方向すくい角αとなり、次いで漸次小さくなるのが望ましい。
【００４２】
さらにまた、本実施形態では、エンドミル本体１に軸線Ｏに沿ってクーラント孔８が形成されており、このクーラント孔８は、切刃部３の上記中心Ｃにおいて切屑排出溝４と同数に分岐して中心Ｃから放射状に延びている。そして、分岐したクーラント孔８は、上記第１の角度範囲Ａと第２の角度範囲Ｂとの間の、切刃７上の１点と上記中心Ｃとを結ぶ直線が中心Ｃからエンドミル本体１の先端側に延びる軸線Ｏに対してなす挟角θが６０°〜８０°の角度範囲において、切屑排出溝４のエンドミル回転方向Ｔとは反対側を向く壁面のすくい面５側に開口している。
【００４３】
従って、切削加工時にエンドミル本体１の後端側からクーラント孔８にクーラントを供給すると、このクーラントは分岐したクーラント孔８から上記第２の角度範囲Ｂよりも僅かにエンドミル本体１の先端側に噴出させられる。ここで、本実施形態における切屑排出溝４および切刃７は、上述のようにエンドミル本体１の先端から後端側に向かうに従いエンドミル回転方向Ｔとは反対側に捩れているので、こうして第２の角度範囲Ｂよりもエンドミル本体１の先端側に噴出したクーラントは、エンドミル本体１の回転に伴い切屑排出溝４のエンドミル本体１後端側に流れ込む。
【００４４】
このため、本実施形態によれば、仕上げ加工の際に、こうして第２の角度範囲Ｂに流れ込んだクーラントを上記挟角θが９０°付近の切刃７の外周部に集中的に供給して、切刃７の外周部や仕上げ加工の際の被削材の切削部位の潤滑、冷却を図ることにより、工具寿命を一層延長させることができる。また、こうして切刃７の外周部に供給されたクーラントは、さらにエンドミル本体１の後端側に流れ込むので、このクーラントに伴って切屑を効率的に排出することができ、切屑詰まりの発生を防いで切削抵抗をさらに低減することが可能となる。
【００４５】
ただし、クーラント孔８が分岐するのは必ずしも切刃部３の中心Ｃではなくてもよく、また分岐するクーラント孔８は切屑排出溝４と同数でなくてもよく、さらに分岐したクーラント孔８が開口するのも、切刃７上の１点と上記中心Ｃとを結ぶ直線が中心Ｃからエンドミル本体１の先端側に延びる軸線Ｏに対してなす挟角θが６０°〜８０°の角度範囲において、切屑排出溝４のエンドミル回転方向Ｔとは反対側を向く壁面のすくい面５側でなくてもよい。
【００４６】
なお、本実施形態では、エンドミル本体１の切刃７が形成された切刃部３がシャンク部２と一体に形成されたソリッドタイプのボールエンドミルに本発明を適用した場合について説明したが、例えば切刃部３が形成されたヘッド部材が超硬合金や鋼材により形成されたシャンク部２の先端部に着脱可能に取り付けられたヘッド交換式のボールエンドミルに本発明を適用することも可能である。
【符号の説明】
【００４７】
１  エンドミル本体
２  シャンク部
３  切刃部
４  切屑排出溝
５  すくい面
６  逃げ面
７  切刃
８  クーラント孔
Ｏ  エンドミル本体１の軸線
Ｔ  エンドミル回転方向
Ｃ  切刃７の軸線Ｏ回りの回転軌跡がなす球の中心
Ｐ  中心Ｃを通り軸線Ｏに直行する平面
θ  切刃７の軸線Ｏ回りの回転軌跡の軸線Ｏに沿った断面において、切刃７上の１点と中心Ｃとを結ぶ直線が中心Ｃからエンドミル本体１の先端側に延びる軸線Ｏに対してなす挟角
α  軸線Ｏに直交する断面における切刃７の径方向すくい角
Ａ  第１の角度範囲
Ｂ  第２の角度範囲
【図１】
2020082205.tif 000003
【図２】
2020082205.tif 000004
【図３】
2020082205.tif 000005
【図４】
2020082205.tif 000006
【図５】
2020082205.tif 000007
【図６】
2020082205.tif 000008
【図７】
2020082205.tif 000009
【図８】
2020082205.tif 000010
【図９】
2020082205.tif 000011